(57)【要約】【課題】浮標、誘導浮標、定置網設置用等に用いる浮子の取扱い性および耐久性を向上するとともに、電気配線を要することのない自己発光作用を付与することによって浮子の視認性を高め、レジャーボート等との衝突事故および定置網等とスクリュとの絡まり事故を防止する。【解決手段】中空に形成したアルミニウム合金製の水密構造の外殻１１の内部に、第１相対運動素子Ｆ１と第２相対運動素子Ｆ２との相対運動によって発電作用を営む波力発電機構２０を組み込むとともに、外殻１１に発光素子Ｄ１…を取り付ける。第１相対運動素子Ｆ１と第２相対運動素子Ｆ２とは、波力による外殻１１の浮遊運動に励起されて相対運動をする。【選択図】  図３
2004330832.tif 000002
【特許請求の範囲】
【請求項１】
中空に形成した水密構造の外殻と、外殻の内部に組み込む波力発電機構と、波力発電機構を電源とする発光素子とを備えてなり、
前記波力発電機構は、相対運動によって発電作用をする第１相対運動素子と第２相対運動素子とからなり、第１相対運動素子と第２相対運動素子とは、波力によって浮動する前記外殻の運動エネルギーに励起されて互いに相対運動をし、前記発光素子は、前記外殻の水密性を維持して外殻に外部観察可能に取り付けることを特徴とする波力発電発光浮子。
【請求項２】
前記第１相対運動素子と第２相対運動素子とのいずれか一方の素子が前記外殻に固定され、他方の素子がばね部材を介して前記外殻に取り付けられていることを特徴とする請求項１に記載の波力発電発光浮子。
【請求項３】
前記第１相対運動素子と第２相対運動素子との双方がばね部材を介して前記外殻に連結され、ばね部材と前記第１相対運動素子が形成する共振系と、ばね部材と第２相対運動素子が形成する共振系とが異なる共振周期を有することを特徴とする請求項１に記載の波力発電発光浮子。
【請求項４】
前記第１相対運動素子が一端を固定し、曲げ応力によって発電作用をする板ばね状圧電素子であり、前記第２相対運動素子が板ばね状圧電素子の他端に取り付ける錘であることを特徴とする請求項１ないし請求項３のいずれかに記載の波力発電発光浮子。
【請求項５】
前記第１相対運動素子が一端を固定し、曲げ応力によって発電作用をする板ばね状圧電素子であり、前記第２相対運動素子が１相対運動当たり複数回板ばね状圧電素子の他端を間欠的に打撃する凹凸錘部材であることを特徴とする請求項１ないし請求項４のいずれかに記載の波力発電発光浮子。
【請求項６】
前記第１相対運動素子がコイルであり、前記第２相対運動素子がマグネットであることを特徴とする請求項１ないし請求項３のいずれかに記載の波力発電発光浮子。
【請求項７】
前記外殻の一部に透明材料による投光窓を形成し、前記発光素子は、投光窓の内面に面して配置することを特徴とする請求項１ないし請求項６のいずれかに記載の波力発電発光浮子。
【請求項８】
前記発光素子が照明用の発光ダイオードであることを特徴とする請求項１ないし請求項７のいずれかに記載の波力発電発光浮子。
【請求項９】
前記外殻がアルミニウム合金によって形成されていることを特徴とする請求項１ないし請求項８のいずれかに記載の波力発電発光浮子。
【発明の詳細な説明】
【０００１】
【発明の属する技術分野】
本発明は、定置網等の魚網に浮力を付与し、海流や波力に抗して魚網の設置姿勢を安定に維持することを主な目的とし、副次的には、海水面上の特定位置を示す浮標ないし誘導浮標および誘魚灯としても利用することができ、内蔵する波力発電機構を電源として発光させるようにした波力発電発光浮子に関する。
【０００２】
【従来の技術】
内海や港湾近くには、魚捕獲用の定置網、養殖網、生け簀網、海藻および貝類の養殖棚等、漁労産業に係わる様々な海洋内設置物が設置されるとともに、これらの海洋内設置物を利用管理する漁労関係者の漁船等の往来に際する目印となる浮標等が設置されている。
【０００３】
海洋内設置物や浮標は、一般に、コンクリートブロック等、密度の大きい物質からなるアンカーと、浮子とを組み合わせて利用することによって、海洋中における定位置を維持するように設置されている。アンカーは、ロープを取り付けて海底に沈められ、浮子は、ロープの一端に連結される。そして、アンカーの重量と浮子の浮力との引き合いによって緊張したロープに定置網等が連結されるのである。また、アンカーおよび浮子は、所定形状に仕掛けられる定置網の設置形態を維持する必要上、網に沿って多数個用いられる。したがって、浮子は、定置網の設置形状に沿って一定間隔で海水面上に浮いた状態となる。
【０００４】
従来、海洋内設置物用の浮子および浮標、誘導浮標等には、中空ガラス球、中空樹脂球、発砲スチロール球が利用されている。なお、浮標ないし誘導浮標等として利用される中空樹脂球には、旗棒を取り付けるための棒穴を設けたものもある。
【０００５】
【発明が解決しようとする課題】
このうち、発砲スチロール球は、耐久性に乏しいために長期間用途には用いられず、例えば、海水浴客の遊泳禁止区域を示す１シーズン的な短期用途に使用されるのみである。また、ガラス球は、衝撃的な外力に対して脆弱であり、運搬等の取扱いが煩雑である。また、比重が大きいために体積の割には大きな浮力を得られない上、ロープを通す紐孔等の細工が困難であり、ロープを編み上げてなるネットに包み込む煩雑な使用方法が採られる。一方、中空樹脂球は、当初性能は良好であるが、一定期間使用後において、紫外線や交番的な温度差等による時効劣化が開始すると急激に耐久性が低下するという、樹脂材料を屋外使用すること特有の欠点を露呈する。
【０００６】
上記従来の浮子および浮標、誘導浮標等における問題点は、今日的な素材技術の観点から見直されるべきものであるが、これらに関する差し迫った問題としては、海洋という広大な環境内において設置される浮子や浮標、誘導浮標等の視認性が低いために、これらと水上バイク、レジャーボート、観光船等との衝突事故、スクリュとロープや魚網の絡まり事故、切断事故が頻発するようになっているという問題がある。
【０００７】
すなわち、今日の休暇の大型化に伴い、屋外レジャー、殊に、海洋レジャーが普及し、比較的簡単な講習によってボート免許等を取得することができるような環境が整えられている。また、定置網や養殖網は、一般に波の穏やかな内海に設置されるのであるが、このような海域は、海洋レジャー海域と重なり合うことが多い。このため、地元魚協等では、浮子とロープを利用した標識によってレジャーボート進入禁止区域を設定し、この区域に立ち入らないように注意を促している。しかし、天候や時刻、波の情況等によっては、かかる標識の視認性は極端に低下し、事故の発生を阻止することができない。そして、特に夜間において、定置網や誘導浮標の設置位置を明確に示したいという要望が提出されているが、従来の浮子等においては、その表面を赤色に着色する、または、赤旗を取り付けるというような夜間には効果が認められない対策が採られるに過ぎない。
【０００８】
本発明は、浮子形成用の材料に新規の観点を導入し、上記従来の浮子における耐久性の問題点、取扱い上の問題点等を解消するとともに、さらに、積極的に、従来、視認性低下の原因であった波を逆に利用することによって、昼間および夜間における視認性を画期的に高めた波力発電発光浮子を提供することを目的とする。
【０００９】
【課題を解決するための手段】
この目的を達成するための手段として本発明は、次のような構成を採用している。
【００１０】
本発明に係る波力発電発光浮子の請求項１に対応する構成は、中空に形成した水密構造の外殻と、外殻の内部に組み込む波力発電機構と、波力発電機構を電源とする発光素子とを備え、そして、波力発電機構は、相対運動によって発電作用をする第１相対運動素子と第２相対運動素子とからなり、また、第１相対運動素子と第２相対運動素子とは、波力によって浮動する外殻の運動エネルギーに励起されて互いに相対運動をし、発光素子は、外殻の水密性を維持して外殻に外部観察可能に取り付けることを特徴とする。
【００１１】
この構成によれば、中空かつ水密構造の外殻は、海水面上に浮くことができ、したがって、外殻は、波に従って浮動する。外殻が浮動すると、外殻の運動に励起されて、波力発電機構を構成する第１相対運動素子と第２相対運動素子とが互いに相対運動をする。両者の相対運動によって波力発電機構は、相対運動の程度に応じた発電作用を発揮することができる。そして、発光素子は、この電力によって点灯し、浮子の視認性が高められる。
【００１２】
本発明に係る波力発電発光浮子の請求項２に対応する構成は、第１相対運動素子と第２相対運動素子とのいずれか一方の素子が外殻に固定され、他方の素子がばね部材を介して外殻に取り付けられていることを特徴とする。
【００１３】
この構成によれば、波によって浮子が浮動すると、外殻に固定された第１相対運動素子と第２相対運動素子とのいずれか一方が外殻と共に運動する。この際、波力発電機構を構成する他方の素子は、ばね部材を介して外殻に取り付けられていることから外殻の運動から独立して独自の運動する。したがって、第１相対運動素子と第２相対運動素子とは、相対運動をして発電機能を営む。
【００１４】
本発明に係る波力発電発光浮子の請求項３に対応する構成は、第１相対運動素子と第２相対運動素子との双方がばね部材を介して外殻に連結され、ばね部材と第１相対運動素子が形成する共振系と、ばね部材と第２相対運動素子が形成する共振系とが異なる共振周期を有することを特徴とする。
【００１５】
この構成によれば、浮子が波力によって浮動すると、ばね部材を介して外殻に連結された第１相対運動素子および第２相対運動素子のいずれもが外殻から独立した独自の運動をする。しかも、ばね部材と第１相対運動素子が形成する共振系と、ばね部材と第２相対運動素子が形成する共振系とが異なる共振周期を有することから、両者は、同一の運動をすることはない。この結果、第１相対運動素子と第２相対運動素子とは、相対運動をし発電機能を営むことができる。
【００１６】
本発明に係る波力発電発光浮子の請求項４に対応する構成は、第１相対運動素子が一端を固定し、曲げ応力によって発電作用をする板ばね状圧電素子であり、第２相対運動素子が板ばね状圧電素子の他端に取り付ける錘であることを特徴とする。
【００１７】
この構成によれば、波によって浮子が浮動すると、一端を固定された第１相対運動素子は、固定部材と共に運動しようとするのに対して、錘は、静止慣性によってその位置に止まろうとする。したがって、第１相対運動素子に曲げ応力が加わり、第１相対運動素子は、所定の発電作用を営む。
【００１８】
本発明に係る波力発電発光浮子の請求項５に対応する構成は、第１相対運動素子が一端を固定し、曲げ応力によって発電作用をする板ばね状圧電素子であり、第２相対運動素子が１相対運動当たり複数回板ばね状圧電素子の他端を間欠的に打撃する凹凸錘部材であることを特徴とする。
【００１９】
この構成によれば、波によって浮子が浮動すると、第１相対運動素子と第２相対運動素子が相対運動をする。このとき、凹凸錘部材は、両者の１相対運動当たり複数回にわたって板ばね状圧電素子を打撃し、板ばね状圧電素子に衝撃的な曲げ応力を加えることができる。したがって、波力発電機構は、発電に適さない穏やかな低周波の波力によっても効率よく発電することができる。
【００２０】
本発明に係る波力発電発光浮子の請求項６に対応する構成は、第１相対運動素子がコイルであり、第２相対運動素子がマグネットであることを特徴とする。
【００２１】
この構成によれば、コイルとマグネットの相対運動によって、フレミングの法則に従って電力を得ることができる。
【００２２】
本発明に係る波力発電発光浮子の請求項７に対応する構成は、外殻の一部に透明材料による投光窓を形成し、発光素子は、投光窓の内面に面して配置することを特徴とする。
【００２３】
この構成によれば、発光素子から発せられる光線は、投光窓を介して外殻の外部に照射される。そして、発光素子は、水密構造の外殻の内部に設置できるので、使用可能な発光素子の選択範囲が拡大するとともに、外殻に対する発光素子の水密な取付け条件も解消される。
【００２４】
本発明に係る波力発電発光浮子の請求項８に対応する構成は、発光素子が照明用の発光ダイオードであることを特徴とする。
【００２５】
この構成によれば、発光素子を照明用の発光ダイオードとすることによって、低消費電力、高照度、しかも無故障を実現することができる。
【００２６】
本発明に係る波力発電発光浮子の請求項９に対応する構成は、外殻がアルミニウム合金によって形成されていることを特徴とする。
【００２７】
外殻を低密度金属であるアルミニウム合金によって形成することによって、外形の割に大きな浮力の外殻を得ることができるとともに、船舶の衝突や取扱いによる割れや紫外線劣化が防止される。また、細工が容易なので、紐孔の形成、投光窓の形成に有利である。
【００２８】
【発明の実施の形態】
以下、図面を引用しながら本発明の実施の形態を説明する。
【００２９】
波力発電発光浮子１０は、海水または淡水に浮くことを条件とすれば、その外形やサイズに特別の制限要素がない。ただし、材質については、屋外使用に長期間耐える材質であることを要す。図１に外殻１１を球形に形成した波力発電発光浮子１０を示す。
【００３０】
波力発電発光浮子１０は、いずれもアルミニウム合金製の上半球部１１Ａと下半球部１１Ｂとを水密に接合してなる中空の外殻１１を有する。上半球部１１Ａと下半球部１１Ｂとは、溶接によって接合されており、赤道位置には、溶接ビードの痕跡が残った接合ライン１２が存在する。なお、接合部分は、上下半球部１１Ａ，１１Ｂ相互の位置決めが容易な段組み構造を採用しているが、簡略な突き合わせ構造とすることもできる。また、外殻１１は、ＡＢＳ樹脂等の樹脂材料によって形成してもよく、この場合の上下半球部１１Ａ，１１Ｂの接合は、接着で足りる。
【００３１】
外殻１１の上半球部１１Ａには、その頂点を取り囲んで円を描くように、多数の発光素子Ｄ１…が配設されている（図１，図２）。また、下半球部１１Ｂには、ロープＲ１等を挿通するための紐孔１３Ｈを設けた連結ブラケット１３が一体成形されている。なお、発光素子Ｄ１…は、取付け単位をなす発光素子ユニット３１または発光素子ユニット３２の形態で取り付けられている（図４，図５）。外殻１１には、全体重量とその重量によって除斥する海水等の重さとの関係で定まる喫水ＷＬが予定されており、発光素子Ｄ１…は、喫水ＷＬより上に位置している。
【００３２】
発光素子ユニット３１は（図４）、雄ねじ部３５Ｎを設けた樹脂ソケット３５に発光素子Ｄ１の基部をモールドし、雄ねじ部３５Ｎの端面から配線リードＬ１，Ｌ１を引き出した構成である。ここで用いる発光素子Ｄ１は、照明用の高輝度の発光ダイオードである。樹脂ソケット３５には、取付け工具の先端を受け入れる工具穴ｈ１，ｈ１が設けられている。また、発光素子ユニット３２（図５）は、同じサイズの樹脂ソケット３５に発光素子ｄ１を４個配置し、４灯式としたものである。したがって、波力発電発光浮子１０の外殻１１には、その用途によって選択するいずれの発光素子ユニット３１，３２も取付け可能である。４個の発光素子ｄ１…は、樹脂ソケット３５の内部で直列−並列結線されている。
【００３３】
波力発電発光浮子１０の外殻１１は、金属製であることによって十分な強度が確保できることから、極く薄い肉厚に形成されている（図３）。そこで、発光素子ユニット３１または発光素子ユニット３２の取付けは、外殻１１に部分的に厚肉部１１Ｄを設けて行なわれている（図３，図６）。厚肉部１１Ｄには、樹脂ソケット３５の雄ねじ部３５Ｎに適合する雌ねじを切ったテーパ孔が形成されている。各樹脂ソケット３５は、オーリング３５ｒを介してテーパ孔に螺入し、さらにテーパ孔全体を透明樹脂Ｍ１によって封止する方法によって、水密かつ外部観察可能に外殻に取り付けられている。
【００３４】
外殻１１には、発光素子Ｄ１…の電源とするための波力発電機構２０が内蔵されている（図３，図８）。波力発電機構２０は、発電ユニット２１としてユニット化されている。発電ユニット２１は、波力によって生じる外殻１１の浮動によって、第１相対運動素子Ｆ１と第２相対運動素子Ｆ２とが相対運動をし、それによって一定の発電機能を営むように構成されたものである。
【００３５】
発電ユニット２１は、取付け用のベース板２４を備え、ベース板２４を外殻１１の下半球部１１Ｂの内部に一体成形する座部１５，１５にねじ止めすることによって外殻１１の内部に固定される（図３）。この実施の形態における第１相対運動素子Ｆ１は、板ばね状圧電素子５１であり、第２相対運動素子Ｆ２は、凹凸錘部材５２である（図８）。
【００３６】
板ばね状圧電素子３１は、４素子用いられている。各板ばね状圧電素子５１は、ガラスエポキシ基板の表面にセラミックス微粉末を含む圧電層を形成したものであり、曲げ応力を加えることによって発電作用をするように構成されたものである。４素子の板ばね状圧電素子５１…の一端は、ベース板２４上に立設する支持板２５に上下一定間隔を保って片持ち支持の状態で水平に固定されている。また、ベース板２４の裏面側には、ラグ端子Ｐ…を備える配線基板２６が取り付けられている。
【００３７】
一方、第２相対運動素子Ｆ２である凹凸錘部材５２は、板ばね状圧電素子５１…の自由端側に配置するガイド筒２７内に装填されている。ガイド筒２７は、フランジ２７Ｂをベース板２４にねじ止めすることによって立設姿勢を保つ。ガイド筒２７内には、コイルスプリング状のばね部材Ｓ１が落とし込まれている。凹凸錘部材５２は、ばね部材Ｓ１に次いでガイド筒２７内に落とし込まれ、ばね部材Ｓ１によって弾んで上下動する。ガイド筒２７の上端には、凹凸錘部材５２の飛び出しを阻止するキャップ２７Ａが取り付けられている。
【００３８】
ガイド筒２７の板ばね状圧電素子５１…側の側面には、上下方向のスリットが形成されており（図３）、凹凸錘部材３２は、スリットを介して外部に突出する凹凸を有する。そして、凹凸錘部材５２がガイド筒２７に案内されながら上下に１挙動すると、この凹凸が４素子の板ばね状圧電素子５１…の自由端を複数回にわたって打撃し、板ばね状圧電素子５１…に衝撃的な曲げ応力を加える仕組みである。なお、４素子の板ばね状圧電素子５１…が同時に凹凸錘部材５２の負荷とならないように、凹凸錘部材５２に形成する凹凸の間隔は不均等に設定されている。
【００３９】
発電ユニット２１の配線基板２６には、発光素子ユニット３１の駆動素子が搭載されている（図８、図９）。配線基板２６上には、４個のダイオードＤ２…で構成されるブリッジ整流器およびコンデンサＣと抵抗器Ｒで構成される充放電回路ＣＲが組み付けられている。４素子の板ばね状圧電素子５１…は、並列結線によって１回路にまとめてブリッジ整流器に入力される（図９）。また、多数の発光素子ユニット３１は、直列−並列接続され、ブリッジ整流器の出力側に接続される。すなわち、発光素子Ｄ１として用いている発光ダイオードが極性を有することに対応し、発電された交流を整流して効率よく発光素子Ｄ１…を駆動する趣旨である。なお、コンデンサＣ１と抵抗Ｒ１とからなる充放電回路は、発光素子Ｄ１…の発光時間を調整するものである。
【００４０】
波力発電発光浮子１０の外殻１１および発光素子ユニットの他の実施の形態として、外殻１１に投光窓１４を設けるとともに、発光素子Ｄ１…を投光窓１４に面して配置することができる（図１０，図１１）。
【００４１】
この形態において用いられる発光素子ユニット３３は、ロート型のリフレクタ３６を備える（図１０）。リフレクタ３６内面は、反射性の表面処理がされ、発光素子Ｄ１…は、リフレクタ２６の奥側に多数まとめて配置されている。
【００４２】
投光窓１４は、外殻１１の下半球部１１Ｂに真下に向けて設けるられている。投光窓１４は、硬質の透明アクリル樹脂を凹凸複合レンズとして形成したものである。投光窓１４の周縁部は段付きに形成され、対応する段付きに形成した下半球部１１Ｂの抜き孔に内側から嵌め込み、押さえ枠１５を用いて緊密に押さえ込まれている。この際、両者間には、シール剤が付与される。また、押さえ枠１５に重ねて同時に発光素子ユニット３３のリフレクタ３６も固定される。このような波力発電発光浮子１０は、レンズ機能を有する投光窓１４によって光線の拡散範囲を調節し、誘魚用途に効果を発揮することができる。なお、取付けブラケット１３，１３の位置は変更されている。
【００４３】
波力発電発光浮子１０の外殻１１および発光素子ユニットの他の実施の形態として、外殻１１を上下面を有する筒形に形成するとともに、外殻１１の上面に透明のフード３８を備える発光素子ユニット３４を突設した構成とすることができる（図１２）。
【００４４】
外殻１１はアルミニウム合金製であり、フード３８は、ガラスまたはアクリル樹脂製である。発光素子Ｄ１…はフード３８内に立設される支持部材３７の周囲に配設される。外殻１１内の底面には、バランスウエイトＤＷが取り付けられており、水中における外殻１１の姿勢が維持される。取付けブラケット１３，１３は外殻１１の側面に一対設けられ、両側からロープＲ１，Ｒ１で連結することができる。遠方からの視認性に優れ、警戒浮標用途に適する。
【００４５】
発電ユニットの他の実施の形態としては、一端を固定した第１相対運動素子Ｆ１としての板ばね状圧電素子５１…の他端に、第２相対運動素子Ｆ２としての錘５３…を取り付けた構成とすることができる（図１３）。
【００４６】
ばね状圧電素子５１…の一端は、支持板２５に固定され、他端には、各板ばね状圧電素子５１毎に異なる重量の錘５３…が取り付けられている。この結果、錘５３…と板ばね状圧電素子５１の弾力性とによって形成される共振周期が各板ばね状圧電素子５１ごとに異なることとなる。すなわち、波の周期によっては、全ての板ばね状圧電素子５１が作動しないというような事態を防止する趣旨である。この際、波の周期によっては、錘５３…が不動点となって板ばね状圧電素子５１の固定端側が振れることも生じ得る。なお、ベース板２４の裏面には、外殻１１の姿勢を維持するためのバランスウエイトＤＷが取り付けてある。
【００４７】
発電ユニットの他の実施の形態としては、固定した第１相対運動素子Ｆ１としてのコイル５４に、第２相対運動素子Ｆ２としてのマグネット５５を組み合わせた構成とすることができる（図１４）。
【００４８】
コイル５４は、ベース板２４に立設されたボビン６１に巻かれており、マグネット５５は、引っ張りばね部材Ｓ２を介してボビン６１の内部に吊下されている。マグネット５５の側面には、摩擦低減部材６２が貼着され、ボビン６１内部をその重量と引っ張りばね部材Ｓ２の弾性とによって定まる周期で運動することができる。マグネット５５の上下運動は、波力発電発光浮子１０の外殻１１が波によって浮動することに励起されて生じる。つまり、ボビン６１は外殻１１とともに上下するが、マグネット５５は、引っ張りばね部材Ｓ２の限度において外殻１１の動作から切り離されており、この結果として両者間に相対運動が生じるのである。
【００４９】
なお、上記いづれの実施の形態においても、第１相対運動素子Ｆ１と第２相対運動素子Ｆ２の固定と可動の条件を入れ替えてもよく、双方をばね部材を介して可動とすることもできるものとする。ただし、双方を可動とする場合には、第１相対運動素子Ｆ１が形成する共振系と、第２相対運動素子Ｆ２が形成する共振系とが異なる共振周期を有するように設定することを要す。
【００５０】
【発明の効果】
本発明に係る波力発電発光浮子は、中空に形成した水密構造の外殻に外部観察可能に発光素子を取り付けるとともに、この発光素子を波力による外殻の浮遊運動に励起されて相対運動をする第１相対運動素子と第２相対運動素子とからなる波力発電機構によって駆動するので、外部電源を要することのない継続的な自己発光が可能であり、これによって、浮子の視認性が格段に高められ、浮子を利用して設置する定置網等の船舶による切断事故等を未然に防止することができる。
【図面の簡単な説明】
【図１  】本発明の実施の形態を示す斜視図である。
【図２】本発明の実施の形態を示す平面図である。
【図３】本発明の実施の形態を示す断面図である。
【図４】本発明の実施の形態における発光素子ユニットを示す斜視図である。
【図５】本発明の実施の形態における発光素子ユニットを示す斜視図である。
【図６】本発明の実施の形態における要部の断面図である。
【図７】本発明の実施の形態における要部の断面図である。
【図８  】本発明の実施の形態における発電ユニットの斜視図である。
【図９】本発明の実施の形態における電気系統図である。
【図１０】本発明の実施の形態における他の発光素子ユニットの斜視図である。
【図１１】本発明の他の実施の形態における要部の断面図である。
【図１２】本発明の他の実施の形態を示す斜視図である。
【図１３】本発明の他の実施の形態における他の発電ユニットを示す側面図である。
【図１４】本発明の他の実施の形態における他の発電ユニットを示す側面図である。
【符号の説明】
Ｆ１        第１相対運動素子
Ｆ２        第２相対運動素子
Ｄ１        発光素子
Ｓ１        ばね部材
Ｓ２        ばね部材
１０        波力発電発光浮子
１１        外殻
１４        投光窓
２０        波力発電発機構
５１        板ばね状圧電素子
５２        凹凸錘部材
５３        錘
５４        コイル
５５        マグネット
【図１】
2004330832.tif 000003
【図２】
2004330832.tif 000004
【図３】
2004330832.tif 000005
【図４】
2004330832.tif 000006
【図５】
2004330832.tif 000007
【図６】
2004330832.tif 000008
【図７】
2004330832.tif 000009
【図８】
2004330832.tif 000010
【図９】
2004330832.tif 000011
【図１０】
2004330832.tif 000012
【図１１】
2004330832.tif 000013
【図１２】
2004330832.tif 000014
【図１３】
2004330832.tif 000015
【図１４】
2004330832.tif 000016